(57)【特許請求の範囲】
【請求項１】
真空雰囲気での成膜処理中に共振周波数を測定することでその表面に成膜される薄膜の膜厚をモニタするために利用される水晶振動子の収容ケースにおいて、
上面に、水晶振動子の主面を上下方向に向けた水平姿勢での水晶振動子の収容を可能とする複数個の第１凹部が第１仮想円周上に間隔を置いて設けられたケース本体と、ケース本体にその上方から着脱自在に装着される第１キャップ体と、ケース本体に対して第１キャップ体を係止する係止手段とを備え、この係止手段によりケース本体に第１キャップ体が係止された状態で第１凹部に収容された水晶振動子の飛び出しが規制されるように構成したことを特徴とする水晶振動子の収容ケース。
【請求項２】
前記第１凹部の周囲にこれに連続させてこの第１凹部より小面積の第２凹部が設けられていることを特徴とする請求項１記載の水晶振動子の収容ケース。
【請求項３】
前記第１凹部に、この第１凹部にその上方から落とし込まれた水晶振動子をその外縁部で支持する支持片が形成されていることを特徴とする請求項１または請求項２記載の水晶振動子の収容ケース。
【請求項４】
ケース本体への第１キャップ体の装着に先立って、ケース本体にその上方から着脱自在に装着できる第２キャップ体を備え、ケース本体の上面に対向する第２キャップ体の面に、いずれか１個の第１凹部を臨み、第１凹部に収容された水晶振動子の取り出しを可能とする取出開口が形成されていることを特徴とする請求項１〜請求項３のいずれか１項に記載の水晶振動子の収容ケース。
【請求項５】
請求項１〜請求項４のいずれか１項に記載の水晶振動子の収容ケースであって、
回転中心を中心とする第２仮想円周上に間隔を置いて複数枚の水晶振動子が設置される設置凹部を備える水晶発振式膜厚モニタ用センサヘッドのホルダに、未使用の水晶振動子をセットできるようにしたものにおいて、
ホルダがその水晶振動子の設置面に回転中心を通る軸線を持つボス部が形成されたものとし、前記第１キャップ体の上面に、ボス部が嵌合して第１仮想円と第２仮想円とを同心に一致させる嵌合凹部が設けられると共に、第１凹部と設置凹部とが上下方向で合致するようにホルダに対する第１キャップ部の位相決めをする位相決め手段が設けられていることを特徴とする水晶振動子の収容ケース。
【発明の詳細な説明】
【技術分野】
【０００１】
本発明は、真空雰囲気での成膜処理中に共振周波数を測定することでその表面に成膜される薄膜の膜厚をモニタするために利用される水晶振動子の収容ケースに関し、より詳しくは、水晶発振式膜厚モニタ用センサヘッドのホルダに簡単に水晶振動子をセット（移し替え）できるようにしたものに関する。
【背景技術】
【０００２】
例えば真空蒸着法により成膜対象物としての基板に所定の薄膜を成膜する際に、基板に付着した蒸着材料の膜厚をモニタするために水晶発振式膜厚モニタが一般に利用される。この種の水晶発振式膜厚モニタは例えば特許文献１で知られている。このものは、センサヘッドを備え、センサヘッドが、ステッピングモータ（真空パルスモータ）などの駆動手段を有するセンサヘッド本体と、複数枚の水晶振動子が仮想円周上に間隔を置いて設置されて駆動手段により回転駆動されるホルダとを有する。センサヘッド本体からホルダに向かう方向を上として、各水晶振動子が設置されるホルダの上面にはこれを覆うようにマスク体が設置され、マスク体の所定位置には１個の水晶振動子の主面（蒸着材料が付着する面）を臨む成膜用窓が開設されている。
【０００３】
真空雰囲気での成膜処理時には、水晶振動子の共振周波数を測定することで、成膜用窓を通して水晶振動子の主面に成膜される薄膜の膜厚がモニタされる。そして、例えば、成膜される薄膜の膜厚が増加するのに従い、測定される共振周波数が所定範囲を超えて変化すると、寿命と判断される。モニタに使用されている水晶振動子が寿命に達すると、ステッピングモータにより次の水晶振動子と成膜用窓とが上下方向で合致する位相までホルダが回転される。この操作を繰り返し、センサヘッドのホルダに設置された全ての水晶振動子が寿命に達すると、成膜処理が中断され、作業者により大気雰囲気中にてセンサヘッド本体からホルダが取り外されて、各水晶振動子が交換されることになる。このような水晶振動子は、通常、専用の収容ケースに収容した状態で持ち運びされる。
【０００４】
複数枚の水晶振動子を収納できるようにした水晶振動子の収容ケースは例えば特許文献２で知られている。このものは、円筒状のケース本体（トレイ部分）と、ケース本体にその上方から回転自在に装着されるキャップ体（カバー部分）とを備える。ケース本体の上面外周縁部には周方向に所定間隔で複数個の支持スロット（収容部）が凹設されている。そして、各支持スロットに、その上方から円形の輪郭を持つ水晶振動子が、その主面を上下方向と直交する方向を向けた垂直姿勢で収容され、水晶振動子がその外周縁部のみで支持されるようになっている。
【０００５】
キャップ体には、いずれか１個の支持スロットと上下方向で合致するスロット開口が設けられている。そして、スロット開口を通して、支持スロットに収容された１個の水晶振動子がピンセットなどの取出工具を用いて取り出すことができるようになっている。然し、上記従来例のものでは、作業者が取出工具を用いて水晶振動子を支持スロットから取り出すとき、主面を含む水晶振動子の表裏両面を取出工具で挟持する必要があり、取出工具によりその表面を傷付け易いという問題がある。また、ホルダに複数枚（例えば、１２個）の水晶振動子をセットする場合に、各水晶振動子を各支持スロットから取り出しながら一枚ずつセットするのでは手間がかかる。
【先行技術文献】
【特許文献】
【０００６】
【特許文献１】特許第３９５３５０５号公報
【特許文献２】米国特許第６９９１１１０号公報
【発明の概要】
【発明が解決しようとする課題】
【０００７】
本発明は、以上の点に鑑み、取出工具を用いて水晶振動子を取り出すときにその主面が傷付くことが可及的に抑制でき、また、センサヘッドのホルダに複数枚の水晶振動子をセットするときでもその作業性を向上することができる水晶振動子の収容ケースを提供することをその課題とするものである。
【課題を解決するための手段】
【０００８】
上記課題を解決するために、真空雰囲気での成膜処理中に共振周波数を測定することでその表面に成膜される薄膜の膜厚をモニタするために利用される本発明の水晶振動子の収容ケースは、上面に、水晶振動子の主面を上下方向に向けた水平姿勢での水晶振動子の収容を可能とする複数個の第１凹部が第１仮想円周上に間隔を置いて設けられたケース本体と、ケース本体にその上方から着脱自在に装着される第１キャップ体と、ケース本体に対して第１キャップ体を係止する係止手段とを備え、この係止手段によりケース本体に第１キャップ体が係止された状態で第１凹部に収容された水晶振動子の飛び出しが規制されるように構成したことを特徴とする。
【０００９】
本発明によれば、ケース本体の上面に設けられた各第１凹部に各水晶振動子が水平姿勢で夫々収容されている。このため、作業者が、第１キャップ体を取り外して第１凹部に収容された１枚の水晶振動子を取り出す場合、ピンセットなどの取出工具で水晶振動子の外縁部を挟持できるので、その主面を傷付けることを可及的に抑制することができる。また、持ち運びの際には、係止手段によりケース本体に第１キャップ体が係止され、この状態では、例えば、複数個の第１凹部が形成されたケース本体の上面に対峙する第１キャップ体の面で水晶振動子の飛び出しが規制される。このため、持ち運び時の振動等で水晶振動子が破損するといった不具合も生じない。なお、本発明において、「水晶振動子が水平姿勢で収容される」といった場合、ケース本体を水平面上に設置した際に水晶振動子が厳密に水平面に平行になるような場合だけでなく、水晶振動子が水平面に対して傾斜した状態で収容されるような場合も含む。
【００１０】
本発明において、前記第１凹部の周囲にこれに連続させてこの第１凹部より小面積の第２凹部が設けられていることが好ましい。これによれば、作業者がピンセットなどの取出工具で水晶振動子の外周縁部を挟持するのに際して、第２凹部が水晶振動子に接触しないように取出工具の先端部分を受け入れる役割を果たし、水晶振動子の主面を傷付けることをより一層抑制することができる。なお、各第２凹部は、第１凹部の周囲に対称に２個設けることもできるが、例えば、各第１凹部の径方向内側にまたは外側に統一して１個の第２凹部を夫々設けるようにしてもよい。この場合、収容ケースの小型化を図る上では、各第１凹部の径方向内側だけに各第２凹部を設けることが好ましい。一方、例えば、第２凹部を第１仮想円周上に位置させることもでき、このとき、互いに隣接する第１凹部が第２凹部を介して連通させるように（言い換えると、第１凹部と第２凹部とが周方向に連なった環状の溝で）構成してもよい。その他、第１凹部の径を取出工具の先端部分を受け入れることが可能な寸法とし、後述する外縁部を切り欠くことによって、第２凹部を形成してもよい。
【００１１】
また、本発明において、前記第１凹部に、この第１凹部にその上方から落とし込まれた水晶振動子をその外縁部で支持する支持片が形成されている構成を採用することができる。これにより、持ち運び時の振動等で水晶振動子の主面やその裏面が傷付くことを抑制することができ、有利である。この場合、支持片により第１凹部にその上方から落とし込まれた水晶振動子の水平方向の移動が規制されるようにしてもよく、他方で、第１凹部にその上方から落とし込まれた水晶振動子の外縁部が支持されたとき、第１凹部の起立壁部の内面（また、その内面に形成した別要素）で水晶振動子の水平方向の移動が規制されるようにしてもよい。
【００１２】
また、本発明においては、ケース本体への第１キャップ体の装着に先立って、ケース本体にその上方から着脱自在に装着できる第２キャップ体を備え、ケース本体の上面に対向する第２キャップ体の面に、いずれか１個の第１凹部を臨み、第１凹部に収容された水晶振動子の取り出しを可能とする取出開口が形成されている構成を採用してもよい。これによれば、第１凹部に収容された一枚の水晶振動子を取り出す際、それ以外の第１凹部に収容された各水晶振動子はその飛び出しが規制される状態に維持できるため、作業者が一枚の水晶振動子を取り出す際に、誤って他の水晶振動子を破損するといった不具合を回避することができる。
【００１３】
また、回転中心を中心とする第２仮想円周上に間隔を置いて複数枚の水晶振動子が設置される設置凹部を備える水晶発振式膜厚モニタ用センサヘッドのホルダに、未使用の水晶振動子をセットするような場合には、ホルダがその水晶振動子の設置面に回転中心を通る軸線を持つボス部が形成されたものとし、前記第１キャップ体の上面に、ボス部が嵌合して第１仮想円と第２仮想円とを同心に一致させる嵌合凹部が設けられると共に、第１凹部と設置凹部とが上下方向で合致するようにホルダに対する第１キャップ部の位相決めをする位相決め手段が設けられていることが好ましい。
【００１４】
これによれば、センサヘッドに設置された全ての水晶振動子が寿命に達すると、作業者は、センサヘッド本体からホルダを取り外して使用済みの各水晶振動子をホルダから取り除く。そして、ケース本体から第１キャップ体（第２キャップ体がある場合には、第１及び第２のキャップ体）を取り外した後、ホルダをその上方からそのボス部を嵌合凹部に嵌合させながらケース本体上に設置する。このとき、位相決め手段により第１凹部と設置凹部とが上下方向で合致する姿勢とする。次に、ホルダとケース本体とを一体に上下反転させると、第１凹部に収容された各水晶振動子が設置凹部へと移し替えられる。最後に、ホルダ上のケース本体を上方に持上げて分離した後、ホルダがセンサヘッド本体に再装着される。このように本発明では、特段、ピンセットなどの取出工具を用いることなく、ケース本体に収容される複数枚の水晶振動子を一度の作業でホルダの設置凹部へと夫々セットする（移し替える）ことができる。その結果、その作業性を上記従来例のものと比較して飛躍的に向上することができ、しかも、その主面を傷付けるといった不具合も生じない。
【図面の簡単な説明】
【００１５】
【図１】本発明の実施形態の水晶振動子の収容ケースを示す分解斜視図。
【図２】収容ケースの第１凹部での水晶振動子の支持状態を拡大して示す部分斜視図。
【図３】第１キャップ体を取り外した状態で示す収容ケースの斜視図。
【図４】水晶発振式膜厚モニタのセンサヘッドの部分断面図。
【図５】（ａ）及び（ｂ）は、収容ケースからセンサヘッドのホルダへの水晶振動子の移し替えを説明する断面図。
【発明を実施するための形態】
【００１６】
以下、図面を参照して、ホルダに円形の輪郭を持つ１２枚の水晶振動子が設置できるセンサヘッドを有する水晶発振式膜厚モニタに適したものを例に本発明の水晶振動子の収容ケースの実施形態を説明する。以下において、上、下等の方向を示す用語は図１の姿勢を基準とする。なお、水晶振動子Ｃｙや、この水晶振動子Ｃｙの共振周波数を測定するための部材、要素としては、公知のものが利用できるため、具体的な膜厚モニタの測定手法を含め、これ以上の詳細な説明は省略する。
【００１７】
図１〜図３を参照して、ＳＣは、ケース本体１と、第１キャップ体２と、第２キャップ体３とを備える本実施形態の水晶振動子の収容ケースである。ケース本体１は、例えば合成樹脂製であり、略正方径の輪郭を持つベース板部１ａと、ベース板部１ａの上面に設けられた円筒状の台座部１ｂとで構成される。台座部１ｂの上面にはその中央部に位置させて円形の輪郭を持つ嵌合凹部１１が設けられ、後述するセンサヘッドのボス部やキャップ体の凸部を嵌合させることができるようにしている。台座部１ｂの上面にはまた、水晶振動子Ｃｙと同等の輪郭を有し、水晶振動子Ｃｙの主面が上下方向を向く水平姿勢で水晶振動子Ｃｙを収容できる第１凹部１２が設けられている。第１凹部１２は、センサヘッドに設置される水晶振動子Ｃｙの数に一致させて、嵌合凹部１１の孔軸を中心とする第１仮想円周Ｖｃ１上に所定間隔で設けられている。この場合、第１仮想円周Ｖｃ１は、後述のホルダの第２仮想円周Ｖｃ２に一致させて形成されている。
【００１８】
第１凹部１２の起立壁部１２ａには、図２に示すように、その内方に向けて突出する支持片１３が設けられ、支持片１３により、各第１凹部１２にその上方から落とし込まれる水晶振動子Ｃｙがその外縁部で支持されるようにしている。この場合、支持片１３により水晶振動子Ｃｙがその外縁部で支持された状態では、起立壁部１２ａの内面で水晶振動子Ｃｙの水平方向の移動が規制されるようになっている。また、支持片１３で水晶振動子Ｃｙが支持された状態で水晶振動子Ｃｙの上面がケース本体１の上面より一段低くなるようにその高さ位置が設置されている。台座部１ｂの上面にはまた、第１凹部１２の周囲にこれに連続させて第１凹部１２より小径（小面積）の２個の第２凹部１４が対称に設けられている。本実施形態では、各第２凹部１４が第１凹部１２の径方向内側と径方向外側との夫々対をなすように配置されている。なお、２個の第２凹部１４を設けるものを例に説明しているが、これに限定されるものではなく、特に図示して説明しないが、各第１凹部１２の径方向内側にまたは外側に統一して１個の第２凹部１４を夫々設けるようにしてもよい。この場合、収容ケースＳＣの小型化を図る上では、各第１凹部１２の径方向内側だけに各第２凹部１４を設けることが好ましい。一方、例えば、第２凹部１４を第１仮想円周Ｖｃ１上に位置させることもでき、このとき、互いに隣接する第１凹部１２が第２凹部１４を介して連通するように（言い換えると、第１凹部１２と第２凹部１４とが周方向に連なった環状の溝で）構成してもよい。
【００１９】
台座部１ｂの外周面には、径方向内方に窪む切欠き溝１５が形成され、後述のセンサヘッドに設けられるピン部材が係合すると、センサヘッドに対してケース本体１が位相決めされるようにしている。本実施形態では、これら切欠き溝１５とピン部材とで位相決め手段を構成するようにしている。内蓋としての役割を果たす第２キャップ体３は、円盤状の蓋板部３ａと蓋板部３ａの外縁部から立設させた筒状の周壁部３ｂとを備える合成樹脂製のものである。蓋板部３ａの中央部には、図３に示すように、ケース本体１の嵌合凹部１１に嵌合可能な凸部３１が形成され、蓋板部３ａを上側にしてケース本体１の台座部１ｂの上方から、凸部３１を嵌合凹部１１に嵌め込みながら台座部１ｂに着脱自在に装着できるようになっている。この場合、凸部３１を嵌合凹部１１に嵌合した状態で第２キャップ体３の嵌合凹部１１の孔軸回りの回転を阻害しないように第２キャップ体３の外形が設定されている。第２キャップ体３の蓋板部３ａにはまた、第１凹部１２と第２凹部１４とを併せて輪郭を持つ取出開口３２が開設され、台座部１ｂへの装着状態で各第１凹部１２に収容された水晶振動子Ｃｙが臨むようになっている。
【００２０】
外蓋としての役割を果たす第１キャップ２は、第２キャップ体３と同様に、円盤状の蓋板部２ａと蓋板部２ａの外縁部から立設させた筒状の周壁部２ｂとを備える合成樹脂製のものである。蓋板部２ａの中央部には、第２キャップ体３が存在するときには凸部３１の内方空間に、第２キャップ体３が存在しないときにはケース本体１の嵌合凹部１１に嵌合可能な凸部２１が形成されている。そして、蓋板部２ａを上側にしてケース本体１の台座部１ｂの上方から、凸部２１を嵌合凹部１１や第２キャップ体３の凸部３１内方空間に嵌め込みながら台座部１ｂに着脱自在に装着され、台座部１ｂの上面及び周壁を覆うようになっている。
【００２１】
周壁部２ｂの下端部には、その外方に向けて突出させた突条２２が設けられ、ベース板部１ａの上面には、突条２２を係止する複数個の係止突起１６が設けられている。そして、蓋板部２ａを上側にしてケース本体１の台座部１ｂの上方から第１キャップ体２をケース本体１の周壁部２ｂに装着し、第１キャップ体２を下方に向けて押すと、突条２２が係止突起１６に係止される。この状態では、第２キャップ体３が存在するときには、第１キャップ体２の蓋板部２ａが第２キャップ体３の蓋板部３ａを周壁部２ｂの上面に向けて押圧することでこの蓋板部３ａの内面により、または、第２キャップ体３が存在しないときには、ケース本体１の上面に対向する第１キャップ体２の蓋板部２ａの内面で、第１凹部１２に収容された水晶振動子Ｃｙの飛び出しが規制される。以下に、図４及び図５も参照して、収容ケースＳＣに収容された各水晶振動子Ｃｙの水晶発振式膜厚モニタのセンサヘッドＳｈへのセット手順を説明する。
【００２２】
水晶発振式膜厚モニタのセンサヘッドＳｈは、図４に示すように、ステッピングモータＳｍがその内部に配置されると共に電極４１が設けられたセンサヘッド本体４と、複数の水晶振動子Ｃｙが設置されてステッピングモータＳｍにより回転駆動されるホルダ５と、各水晶振動子Ｃｙが設置されるホルダ５の上面を覆うようにセンサヘッド本体４に取り付けられると共にいずれか１個の水晶振動子Ｃｙが臨む成膜用窓６１が開設されたマスク６とを備える。
【００２３】
ホルダ５は、ステッピングモータＳｍの回転軸Ａｒ（回転中心）を中心とする第２仮想円周Ｖｃ２上に所定間隔で１２個の水晶振動子Ｃｙが設置される設置凹部５１を備えるステンレス鋼製の保持板部５ａと、保持板部５ａの下面に一体に固定されたフッ素樹脂製のリング板部５ｂとを有し、センサヘッド本体４の所定位置に着脱自在に設置されるようになっている。また、保持板部２１の上面（水晶振動子Ｃｙの設置面）にはまた、回転中心を通る軸線を持つボス部５２が形成されると共に、その周囲の所定位置にはピン部材５３が立設されている。また、保持板部５ａには、設置凹部５１に夫々収納された水晶振動子Ｃｙに導通する羽型電極２３が保持されて、羽型電極２３が電極４１に当接して導通するようになっている。なお、ここで説明したセンサヘッドＳｈは、一例に係るものであり、第２仮想円周Ｖｃ２上に所定間隔で水晶振動子Ｃｙが設置される複数個の設置凹部５１を備える公知のものが利用できるため、これ以上の説明は省略する。
【００２４】
収容ケースＳＣは、その各第１凹部１２に未使用の水晶振動子Ｃｙがその主面を上方（または下方）にして夫々収容された状態で、蓋板部３ａの凸部３１をケース本体１の嵌合凹部１１に嵌合させながら第２キャップ体３が装着された後、蓋板部２ａの凸部２１を第２キャップ体３の凸部３１の内方空間に嵌合させると共に突条２２を係止突起１６に係止させて第１キャップ体２が装着された状態となっており、この状態で収容ケースＳＣが持ち運びされる。作業者が、ホルダ５にセットされた水晶振動子Ｃｙを交換する場合、センサヘッド本体４からホルダ５を取り外し、使用済みの各水晶振動子Ｃｙをホルダから取り除く。収容ケースＳＣでは、ケース本体１から第１キャップ体２、第２キャップ体３の順でこれらが取り外された後、水晶振動子Ｃｙを収容する第１凹部１２が鉛直方向上方を向く姿勢でケース本体１を例えば水平なテーブル（図示せず）上に設置される。具体的には、ケース本体１から第１キャップ体２を取り外す場合、作業者は、周壁部２ｂの外面を指で押して、突条２２を係止突起１６との係止位置よりその内方（第１仮想円周Ｖｃ１の中心方向）へと第１キャップ体２の周壁部２ｂを変形させて係止不能な相対位置とし、その上で更に上方（ケース本体１と第１キャップ体２の相対位置で離間方向）へと変形させ、係止突起１６の上方位置まで突条２２を移動させた後、作業者の指による周壁部２ｂに対してなしていたその変形力をゆっくりと解除する。
【００２５】
仮に、複数個の係止突起１６のうち一つに対してのみ上記作業を行ったとすると、解除を行った係止突起１６の両隣の突条２２と係止突起１６とは係止されたままであるため、指で変形力をゆっくりと解除した際に対応する当該突条２２の位置は係止突起１６の外周面上、上方付近で安定する。この作業を繰り返して、全ての突条２２を各係止突起１６との係止位置から別位置へと動作させることで、ケース本体１から第１キャップ体２が係止位置から離脱可能となる。なお、作業者の指により第１キャップ体２を変形させて両者の係止を解除するため、変形力の解除を衝撃的に行ってしまう場合がある。この衝撃は、ケース本体１から第１凹部１２に収容される水晶振動子Ｃｙに伝達され、離脱し、第１凹部１２から水晶振動子Ｃｙが逸脱する状況となる原因となるが、第２キャップ体３は第１キャップ体２によって正規の位置に係止された状況であるので、逸脱が防止されている。
【００２６】
一方、ケース本体１に対する第１キャップ体２の係止方法を次のようにすることができる。即ち、特に図示して説明しないが、例えば、第１キャップ体２の周壁部２ｂ内面とケース本体１の台座部１ｂの外面とのいずれか一方に螺旋溝を形成すると共にその他方に螺旋溝に螺合する突起（または突条）を形成し、または、第１キャップ体２の周壁部２ｂ内面とケース本体１の台座部１ｂの外周との双方を上方から見た際に楕円とすることで、楔の物理法則を用いた係止方法とすることができる。これにより、ケース本体１と第１キャップ体２の相対回転にて楔による固定と離脱が可能となる。楔の固定から離脱の際に多少の衝撃発生が見込まれるが、各突条２２と各係止突起１６の離脱方向が水晶振動子Ｃｙに対して上下方向であることに比べて回転による離脱による衝撃は仮想円周方向であり、第１凹部１２の起立壁部１２ａがその衝撃を受け止められる構造となるので、第２キャップ体３を不要とできる。そして、使用済みの各水晶振動子Ｃｙが取り除かれたホルダ５をケース本体１の上方からそのボス部５２を嵌合凹部１１に嵌合させながらケース本体１上に配置する（図５（ａ）参照）。このとき、ケース本体１の切欠き溝１５にピン部材５３を挿通させることでケース本体１に対してホルダ５が位相決めされ、第１仮想円と第２仮想円とを同心に一致させる嵌各第１凹部１２と各設置凹部５１とが上下方向で合致する姿勢となる。
【００２７】
次に、作業者は、ホルダ５とケース本体１とをテーブルから持上げた後、一体に上下反転させる。これにより、第１凹部１２に収容された各水晶振動子Ｃｙがホルダ５の設置凹部５１へと移し替えられる。この際、設置凹部５１と起立壁部１２ａによる水晶振動子Ｃｙの規制範囲が略一致し、かつ、複数の起立壁部１２ａに対応する設置凹部５１壁面部の隙間は水晶振動子Ｃｙの厚み以下となるような寸法公差でケース本体１が製作される（上記寸法公差でケース本体１が製作されていない、当該隙間に水晶振動子Ｃｙがはまり込んで移し替えできない虞がある）。また、起立壁部１２ａによる規制は、円形の水晶振動子Ｃｙの位置範囲を規制する意味では３点（３つの起立壁面）以上であれば規制できるので、第１凹部１２の断面形状は円形である必要性はない。特に図示して説明しないが、例えば、複数の第１凹部１２の全てを互いに連通させた環状の溝とし、第１凹部１２に在するその外縁部の支持片にて水晶振動子Ｃｙの第１仮想円周Ｖｃ１上の移動方向のみを規制する構成として実現することも可能である。この場合、環状の溝を構成する内外円が同心であることが条件（倣い動作許可条件）となるため、支持片による規制はこの２つの方向が規制されるように構成しなければならない。また、別構成として、環状の溝を構成する外円と内円をこれに設置しようとする水晶振動子Ｃｙの数に応じて等角度分割した（所謂ケーキカット）形状で複数の第１凹部１２とすることもできる（このとき、中心側は開放で、外円のみ規定のドーナッツの等角度分割とすることができる）。この場合は３点による位置規制となる、水晶振動子Ｃｙの円に重ならない第１凹部１２の残部分はそのまま第２凹部として使用できる。
【００２８】
最後に、ホルダ５からケース本体１を上方に持上げた後、この姿勢のままホルダ５がセンサヘッド本体４に再装着される。このように本実施形態では、特段、ピンセットなどの取出工具（図示せず）を用いることなく、ケース本体１に収容される１２枚の水晶振動子Ｃｙを一度の作業でホルダ５の設置凹部５１へと夫々セットすることができる。その結果、その作業性を上記従来例のものと比較して飛躍的に向上することができ、しかも、その主面を傷付けるといった不具合も生じない。他方、作業者が、収容ケースＳＣの一枚の水晶振動子Ｃｙのみを交換するような場合には、ケース本体１から第１キャップ体２を取り外す。そして、第２キャップ体３を嵌合凹部１１の孔軸回りに適宜回転させ、未使用の水晶振動子Ｃｙが収容された第１凹部１２と取出開口３２とを上下方向で合致させる。この状態で、ピンセットなどの取出工具の先端部分を第２凹部１４に挿入させた後、水晶振動子Ｃｙの外周縁部を挟持して第１凹部１２から取り出す。そして、取出工具で挟持した状態でホルダ５の設置凹部５１などにセットする。
【００２９】
以上の実施形態によれば、ケース本体１の上面に設けられた各第１凹部１２に各水晶振動子Ｃｙが水平姿勢で夫々収容されているため、作業者が、第１キャップ体２を取り外して、第２キャップ体３の取出開口３２を通して第１凹部１２に収容された１枚の水晶振動子Ｃｙを取り出すような場合、第２凹部１４が水晶振動子Ｃｙに接触しないように取出工具の先端部分を受け入れる役割を果たすと共に、取出工具で水晶振動子Ｃｙの外周縁部を挟持できるので、その主面を傷付けることを可及的に抑制することができる。また、持ち運びの際には、ケース本体１に第１キャップ体２が係止され、この状態では、ケース本体１の上面に対峙する第１キャップ体２及び第２キャップ体３の面で水晶振動子Ｃｙの飛び出しが規制される。このため、持ち運び時の振動等で水晶振動子Ｃｙが破損するといった不具合も生じない。しかも、第１凹部１２にその上方から落とし込まれた水晶振動子Ｃｙは支持片１３によりその外縁部で支持されているため、持ち運び時の振動等で水晶振動子Ｃｙの主面やその裏面が傷付くことを抑制することができる。その上、第２キャップ体３を有することで、第１凹部１２に収容された一枚の水晶振動子Ｃｙを取り出す際、それ以外の第１凹部１２に収容された各水晶振動子Ｃｙはその飛び出しが規制される状態に維持できるため、作業者が一枚の水晶振動子Ｃｙを取り出す際に、誤って他の水晶振動子Ｃｙを破損するといった不具合を回避することができる。
【００３０】
以上、本発明の実施形態について説明したが、本発明の技術思想の範囲を逸脱しない限り、種々の変形が可能である。上記実施形態では、一枚ずつ水晶振動子Ｃｙを取り出す場合を想定して第２キャップ体３を備えるものを例に説明したが、収容ケースＳＣを特定の水晶発振式膜厚モニタのセンサヘッドのホルダ専用とするような場合には、第２キャップ体３を省略することも可能である。また、上記実施形態では、係止手段を突条２２と係止突起１６とで構成するものを例に説明したが、ケース本体１に第１キャップ体２を装着したときに、第１凹部１２に収容された水晶振動子Ｃｙの飛び出しが規制される状態を維持できるものであれば、これに限定されるものではない。更に、上記実施形態では、ホルダ５に備えられているボス部５２とピン部材５３とを利用して、ホルダ５に対してケース本体１が位置決め及び位相決めされるようにしたものを例に説明したが、これに限定されるものではなく、他の周知の位置決め及び位相決め手段を用いることもできる。
【符号の説明】
【００３１】
Ｃｙ…水晶振動子、ＳＣ…水晶振動子の収容ケース、Ｓｈ…センサヘッド、Ｖｃ１…第１仮想円周、Ｖｃ２…第２仮想円周、１…ケース本体、１１…嵌合凹部、１２…第１凹部、１３…支持片、１４…第２凹部、１５…切欠き溝（位相決め手段）、１６…係止突起（係止手段）、２…第１キャップ体、２２…突条（係止手段）、３…第２キャップ体、３２…取出開口、５…ホルダ、５１…設置凹部、５２…ボス部、５３…ピン部材（位相決め手段）。
【要約】
【課題】取出工具を用いて水晶振動子を取り出すときにその主面が傷付くことが可及的に抑制でき、また、センサヘッドＳｈのホルダ５に複数枚の水晶振動子Ｃｙをセットするときでもその作業性を向上することができる水晶振動子の収容ケースを提供する。
【解決手段】本発明の水晶振動子の収容ケースＳＣは、上面に、その主面を上下方向に向けた水平姿勢での水晶振動子の収容を可能とする複数個の第１凹部１２が第１仮想円周Ｖｃ１上に間隔を置いて設けられたケース本体１と、ケース本体にその上方から着脱自在に装着される第１キャップ体２と、ケース本体に対して第１キャップ体を係止する係止手段１６，２２とを備え、ケース本体に第１キャップ体が係止された状態で第１凹部に収容された水晶振動子の飛び出しが規制されるように構成した。
【選択図】図１【図１】
0006802937.tif 000002
【図２】
0006802937.tif 000003
【図３】
0006802937.tif 000004
【図４】
0006802937.tif 000005
【図５】
0006802937.tif 000006